(57)【要約】【課題】端子台の溝に圧入装着した端子金具が所定の組立位置で確実に固定保持できるよう改良した電磁石装置のコイル端子部組立構造を提供する。【解決手段】操作コイル２を巻装したコイル巻枠３に端子台１０を設け、該端子台に端子金具１１を装着して操作コイルに接続した電磁石装置のコイル端子部であって、前記端子金具１１は導体片の前端に端子ねじ１２を螺設するねじ座部１１ａを、後端にリード線接続部１１ｂを形成した構成になり、該導体片を端子台１０の側面に形成したスリット状の嵌合溝１０ｃに側方から圧入して固定したものにおいて、前記リード線接続部１１ｂの上縁部に抜け止め用の係合爪部１１ｃを形成し、端子金具の圧入装着位置で係合爪部を端子台に形成した係合溝１０ｆに係止固定するものとし、具体的には係合爪部１１ｃを圧入側にテーパーを付した鋸歯状の三角突起となし、係合溝１０ｆは端子台の上面側から角穴を型抜きして形成する。【選択図】        図１
2008300328.tif 000002
【特許請求の範囲】
【請求項１】
操作コイルを巻装したコイル巻枠に端子台を設け、該端子台に端子金具を装着して操作コイルに接続した電磁石装置のコイル端子部であり、前記端子金具は導体片の前端に端子ねじを螺設するねじ座部を有し、後端にリード線接続部を形成した構成になり、該導体片を端子台の側面に形成したスリット状の嵌合溝に側方から圧入して固定したものにおいて、
前記リード線接続部の端縁に抜け止め用の係合爪部を形成し、端子金具の圧入装着位置で前記係合爪部を端子台に形成した係合溝に係止固定したことを特徴とする電磁石装置のコイル端子部。
【請求項２】
請求項１に記載のコイル端子部において、係合爪が圧入側にテーパーを付した鋸歯状の三角突起であり、該突起を係止する係合溝として端子台には、端子金具を圧入するスリット状嵌合溝と直交方向に角穴を形成したことを特徴とする電磁石装置のコイル端子部。
【発明の詳細な説明】
【技術分野】
【０００１】
本発明は、電磁接触器などに適用する電磁石装置のコイル端子部に関し、詳しく端子台に装着する端子金具の固定支持構造に係わる。
【背景技術】
【０００２】
電磁接触器に装備した操作コイルの端子部として、コイルを巻装したコイル巻枠と一体に端子台を設け、この端子台に形成した端子の嵌合溝に一対の端子金具を圧入固着した上で、該端子金具に操作コイルから引出したリード線を接続するようにしたコイル端子部の組立構造が知られている（例えば、特許文献１参照）。
【０００３】
次に、既に市場に展開している電磁接触器の製品構成を図３に、またこの電磁接触器に装備した操作コイルの巻枠および端子部の従来構造を図４〜図６に示す。
【０００４】
まず、図３において、１はフレーム、２はコイル巻枠３（モールド樹脂製のボビン）に巻装した操作コイル、４は固定鉄心、５は可動鉄心、６は復帰ばね、７は可動鉄心５に連結した接触子ホルダー、８は接触子ホルダーに装着した橋絡形の可動接触子、９は固定接触子である。また、前記のコイル巻枠３には後述のように巻枠と一体に成形した端子台１０が設けてあり、該端子台１０に装着した一対の端子金具１１に操作コイル２から引出した巻き始め，巻き終わりのリード線を接続し、端子金具１１に螺設した端子ねじ１２を介して外部回路の電線を接続するようにしている。
【０００５】
ここで、前記の端子台１０は、図４〜図６で示すようにコイル巻枠３から側方へコ字形に張り出すように一体成形され、この端子台１０には左右に分けて一対の端子金具１１を固定支持するように端子金具の取付座面１０ａ，絶縁隔壁１０ｂ，前記取付座面１０ａから後方に向けて延在するスリット状の嵌合溝１０ｃ、および該嵌合溝１０ｃから分岐した縦向きの溝１０ｄ，１０ｅが形成されている。
【０００６】
一方、端子台１０に装着する端子金具１１は、導体片の前端に端子ねじ１２を螺設するねじ座部１１ａを、後端にはＬ字形に起立したリード線接続部１１ｂを形成し、かつねじ座部１１ａには端子ねじ１２を螺設するねじ穴１１ａ−１，およびねじ座部の後縁からＬ字形に起立する係合突起１１ａ−２を形成した構造になる。
【０００７】
そして、この端子金具１１を端子台１０に装着するには、端子金具１１を側方から端子台１０の左右側面に形成したスリット状の嵌合溝１０に押し込み、さらに端子金具１１のねじ座部後縁か起立する係合突起１１ａ−２，および導体片の後端から起立するリード線接続部１１ｂをそれぞれ端子台１０に形成した溝１０ｄ，１０ｅに圧入して所定位置に固着する。その上で、操作コイル２から引出した巻き始め，巻き終わりのリード線２ａ，２ｂをそれぞれ端子金具１１のリード線接続部１１ｂに半田接合する。また、ねじ座部１１ａのねじ穴１１ａ−１には端子ねじ１２を螺設する。
【特許文献１】特開２０００−５７９２４号公報
【発明の開示】
【発明が解決しようとする課題】
【０００８】
ところで、前記した従来製品のコイル端子部構造では、外部の電線を接続するために端子台１０に装着した端子金具１１に螺合した端子ねじ１２を強い力で締め付けると、次記のような不具合が生じる。
【０００９】
すなわち、端子ねじ１２に強力な締め付け力を加えると、その締め付けトルクを受けて端子台１０に形成した溝１０ｃ，１０ｄ，１０ｅに圧入保持した端子金具１１が端子ねじ１２を中心にして締め付け力を加えた方向にずれ動き、しかも端子金具１１が当初の圧入位置から一旦ずれ動くと端子台１０（樹脂モールド品）による圧入保持力が極端に低下して動き易くなってしまう。このために、電磁接触器の開閉動作の繰り返しに伴う電磁石の振動，衝撃によって端子金具１１の緩み，ずれ動きが助長され、遂には端子金具１１のリード線接続部１１ｂに半田接合した操作コイル２のリード線２ａ，２ｂが端子金具に引っ張られて断線するといったトラブルに進展する。
【００１０】
本発明は上記の点に鑑みなされたものであり、その目的は前記課題を解決し、端子ねじの強力な締め付け力にも十分に耐えて端子台の溝に圧入装着した端子金具が所定の組立位置から動かないように改良した電磁石装置のコイル端子部を提供することにある。
【課題を解決するための手段】
【００１１】
上記目的を達成するために、本発明によれば、操作コイルを巻装したコイル巻枠に端子台を設け、該端子台に端子金具を装着して操作コイルに接続した電磁石装置のコイル端子部であり、前記端子金具は導体片の前端に端子ねじを螺設するねじ座部を有し、後端にリード線接続部を形成した構成になり、該導体片を端子台の側面に形成したスリット状の嵌合溝に側方から圧入して固着したものにおいて、
前記リード線接続部の端縁に抜け止め用の係合爪部を形成し、端子金具の圧入装着位置で前記係合爪部を端子台に形成した係合溝に係止固定するものとし（請求項１）、具体的には前記係合爪部を圧入側にテーパーを付した鋸歯状の三角突起となし、該突起を係止する係合溝として端子台には、端子金具を圧入するスリット状の嵌合溝と直交方向に角穴を形成する（請求項２）。
【発明の効果】
【００１２】
上記の構成によれば、端子台に端子金具を圧入装着した状態で、端子金具の後端側に起立するリード接続部に形成した鋸歯状の係合爪部を端子台に形成した係合溝（角穴）に嵌め合わせて係止させたことにより、端子金具の前端側に螺設した端子ねじに強力な締め付け力を加えても、端子金具の圧入保持状態が緩んで所定の装着位置からずれ動くことがなく、これにより電磁接触器の繰り返し開閉動作に伴い電磁石の振動，衝撃力が加わっても端子金具を定位置に確実に保持できる。
【発明を実施するための最良の形態】
【００１３】
以下、本発明の実施の形態を図１（ａ），（ｂ）および図２（ａ），（ｂ）に示す実施例に基づいて説明する。なお、実施例の図中で図５，図６に対応する部材には同じ符号を付してその説明は省略する。
【００１４】
すなわち、図示実施例のコイル端子部は、基本的に図４〜図６で述べた従来構造と同様であるが、端子金具１１についてはその後端に起立形成したリード線接続部１１ｂの上縁に抜け止め用の係合爪部１１ｃが追加形成されており、この係合爪部１１ｃに対応して端子台１０には係合溝１０ｆが形成されている。
【００１５】
ここで、前記の係合爪部１１ｃは図１（ｂ）で表すように端子金具１１の圧入側に緩いテーパーを付した鋸歯状の三角突起になる。また、端子台１０に形成した係合溝１０ｆは、モールド金型によりコイル巻枠３をモールド成形する際に、端子台１０の上面側から型抜きしてリード線接続部１１ｂを圧入する係合溝１０ｅと連なるように形成した角穴になり、その角穴は係合爪部１１ｃが丁度穴の中に収まるようなサイズに定めている。なお、前記のようにモールド成形時に係合溝１０ｆを型抜き形成することで、面倒なアンダーカット加工が不要となる。
【００１６】
上記の構成で、従来構造の組立方法と同様に端子金具１１を側方から端子台１０に形成したスリット状の嵌合溝１０ｃに押し込むと、図２（ｂ）で示すように後端側のリード線接続部１１ｂの上縁から突き出した係合爪部１１ｃのテーパー面が端子台１０の溝１０ｅの壁を摺動しながら前進し、前記した角穴の係合溝１０ｆに収まった状態で爪の後端が溝の縁に引っ掛かって図２（ｂ）の組立位置に係止固定される。この組立状態では、端子金具１１，特に導体片の後端側に形成したリード線接続部１１ｂがずれ動いたり、端子台１０から抜け出すことなく所定の組立位置に保持される。したがって、端子金具１１の前端側のねじ座部１１ａに螺設した端子ねじ１２に強力な締め付け力を加えても、その締め付けトルクにより端子金具１１、特に操作コイル２の引出しリード線に半田接合した後端側のリード線接続部１１ｂがずれ動いてリード線が断線するトラブルを確実に防止できる。
【図面の簡単な説明】
【００１７】
【図１】本発明の実施例によるコイル端子部の構造図で、（ａ）は分解斜視図、（ｂ）は（ａ）におけるＡ部の拡大図
【図２】図１の組立状態を表す図で、（ａ）は外観図、（ｂ）は（ａ）におけるＢ部の拡大断面図
【図３】電磁接触器全体の構成断面図
【図４】図３の電磁接触器に装備した電磁石装置の分解斜視図
【図５】図４におけるコイル端子部の従来構造を示す分解斜視図
【図６】図５におけるコイル端子部の組立状態での外観図
【符号の説明】
【００１８】
２    操作コイル
３    コイル巻枠
１０端子台
１０ｃ  スリット状嵌合溝
１０ｆ  係合溝（角穴）
１１    端子金具
１１ａ  ねじ座部
１１ｂ  リード線接続部
１１ｃ  係合爪部
１２    端子ねじ
【図１】
2008300328.tif 000003
【図２】
2008300328.tif 000004
【図３】
2008300328.tif 000005
【図４】
2008300328.tif 000006
【図５】
2008300328.tif 000007
【図６】
2008300328.tif 000008